(57)【要約】【課題】互いに同期して再生されるべき２つの映像ストリームを放送とインターネットとに分けて伝送する場合のそれぞれの同期再生を良好に行う。【解決手段】それぞれ時刻参照値が付加され、互いに同期して再生されるべき複数の映像のうち一方を放送ストリームとして放送を通じて受信可能な放送受信部と、複数の映像のうち他方を通信ストリームとしてネットワークを通じて受信可能な通信受信部と、放送ストリームに含まれる時刻参照値をもとに、複数の映像を提示するタイミングを生成するための基準時刻を生成する基準時刻生成部と、基準時刻に対する通信ストリームの時刻参照値の遅れ量で基準時刻を調整する調整部とを具備する。【選択図】図３
2013190787.tif 000002
【特許請求の範囲】
【請求項１】
それぞれ時刻参照値が付加され、互いに同期して再生されるべき複数の映像のうち一方を放送ストリームとして放送を通じて受信可能な放送受信部と、
前記複数の映像のうち他方を通信ストリームとしてネットワークを通じて受信可能な通信受信部と、
前記放送ストリームに含まれる前記時刻参照値をもとに、前記複数の映像を提示するタイミングを生成するための基準時刻を生成する基準時刻生成部と、
前記基準時刻に対する前記通信ストリームの前記時刻参照値の遅れ分で前記基準時刻を調整する調整部と
を具備する受信装置。
【請求項２】
請求項１に記載の受信装置であって、
前記調整部は、前記通信受信部によって最初に受信された前記通信ストリームの前記時刻参照値の前記遅れ分で前記基準時刻を調整する
受信装置。
【請求項３】
請求項２に記載の受信装置であって、
前記放送ストリームおよび前記通信ストリームには所定の単位毎の提示時刻情報が付加され、
前記受信装置は、
前記放送受信部により受信された前記放送ストリームを、当該放送ストリームに付加された前記提示時刻情報と前記基準時刻とが一致したタイミンクで前記一方の映像が提示されるようにデコードする放送受信用の映像デコーダと、
前記通信受信部により受信された前記通信ストリームを、当該通信ストリームに付加された前記提示時刻情報と前記基準時刻とが一致したタイミンクで前記他方の映像が提示されるようにデコードする放送受信用の映像デコーダと、
前記放送受信用の映像デコーダおよび前記通信受信用の映像デコーダによりそれぞれデコードされた複数の映像をマージする映像マージャと
をさらに具備する受信装置。
【請求項４】
請求項１に記載の受信装置であって、
前記調整部は、前記通信受信部によって受信された一定期間内の前記通信ストリームの前記時刻参照値の前記遅れ分の平均値に所定のマージンを付加した値で前記基準時刻を調整する
受信装置。
【請求項５】
請求項４に記載の受信装置であって、
前記放送ストリームおよび前記通信ストリームのうち前記放送ストリームにのみ所定の単位毎の提示時刻情報が付加され、
前記受信装置は、
前記放送受信部により受信された前記放送ストリームを、当該放送ストリームに付加された前記提示時刻情報と前記基準時刻とが一致したタイミンクで前記一方の映像が提示されるようにデコードする放送受信用の映像デコーダと、
前記通信受信部により受信された前記通信ストリームをデコードする放送受信用の映像デコーダと、
前記放送受信用の映像デコーダおよび前記通信受信用の映像デコーダによりそれぞれデコードされた複数の映像をマージする映像マージャと
をさらに具備する受信装置。
【請求項６】
それぞれ時刻参照値が付加され、互いに同期して再生されるべき複数の映像のうち一方を放送ストリームとして放送を通じて受信し、
前記複数の映像のうち他方を通信ストリームとしてネットワークを通じて受信し、
基準時刻生成部が、前記放送ストリームに含まれる前記時刻参照値をもとに、前記複数の映像を提示するタイミングを生成するための基準時刻を生成し、
調整部が、前記基準時刻に対する前記通信ストリームの前記時刻参照値の遅れ分で前記基準時刻を調整する
を具備する同期処理方法。
【発明の詳細な説明】
【技術分野】
【０００１】
本技術は、互いに同期して再生されるべき複数の映像のうち一方を放送で受信し、他方をネットワークを通じて受信し、それぞれを互いに同期再生することが可能な受信装置とその同期処理方法に関する。
【背景技術】
【０００２】
近年、携帯電話等の通信用途の帯域拡大の要求に押され、放送用途に割有られる帯域の拡大は将来的に期待できない。一方、例えば３Ｄ番組、高解像度映像など、コンテンツの伝送に必要とされる帯域は拡大傾向にあり、放送の帯域だけでは不足することが予想される。そこで、放送とインターネットの統合的に利用して、３Ｄ番組、高解像度映像など、広帯域を要する番組を伝送するサービスの実現が検討されている。【０００３】
例えば、特許文献１には、メインの放送音声データを放送波として伝送するとともに、多視点映像データおよび多聴点音声データをネットワークを介して伝送し、受信装置にてこれらメインの放送音声データ、多視点映像データおよび多聴点音声データを受信し、提示する技術が開示されている。
【先行技術文献】
【特許文献】
【０００４】
【特許文献１】特開２００５−１５９５９２号公報
【発明の概要】
【発明が解決しようとする課題】
【０００５】
互いに同期して再生されるべき２つの映像ストリームを放送とインターネットとに分けて伝送する場合、それぞれの伝送方式の特性の違いによる２つの映像ストリームの受信タイミングがずれが発生した場合、特にインターネット経由のストリームが放送経由のストリームに対して遅れ、その遅れの量が放送受信側のバッファで吸収できない程度である場合には、同期再生が困難になることが想定される。【０００６】
以上のような事情に鑑み、本技術の目的は、互いに同期して再生されるべき２つの映像ストリームを放送とインターネットとに分けて伝送する場合のそれぞれの同期再生を良好に行うことのできる受信装置およびその同期処理方法を提供することにある。
【課題を解決するための手段】
【０００７】
上記の課題を解決するために、本技術に係る受信装置は、それぞれ時刻参照値が付加され、互いに同期して再生されるべき複数の映像のうち一方を放送ストリームとして放送を通じて受信可能な放送受信部と、前記複数の映像のうち他方を通信ストリームとしてネットワークを通じて受信可能な通信受信部と、前記放送ストリームに含まれる前記時刻参照値をもとに、前記複数の映像を提示するタイミングを生成するための基準時刻を生成する基準時刻生成部と、前記基準時刻に対する前記通信ストリームの前記時刻参照値の遅れ量で前記基準時刻を調整する調整部とを具備する。【０００８】
この受信装置では、調整部が、放送ストリームに含まれる時刻参照値をもとに設定される基準時刻を、この基準時刻に対する通信ストリームの時刻参照値の遅れ量で調整する。これにより、通信ストリームが放送ストリームに対して遅れて受信された場合でも、各ストリームを同期再生することができる。【０００９】
前記調整部は、前記通信受信部によって最初に受信された前記通信ストリームの前記時刻参照値の前記遅れ量で前記基準時刻を調整するものであってよい。【００１０】
前記放送ストリームおよび前記通信ストリームには所定の単位毎の提示時刻情報が付加され、前記受信装置は、前記放送受信部により受信された前記放送ストリームを、当該放送ストリームに付加された前記提示時刻情報と前記基準時刻とが一致したタイミンクで前記一方の映像が提示されるようにデコードする放送受信用の映像デコーダと、前記通信受信部により受信された前記通信ストリームを、当該通信ストリームに付加された前記提示時刻情報と前記基準時刻とが一致したタイミンクで前記他方の映像が提示されるようにデコードする放送受信用の映像デコーダと、前記放送受信用の映像デコーダおよび前記通信受信用の映像デコーダによりそれぞれデコードされた複数の映像をマージする映像マージャとをさらに具備するものであってよい。【００１１】
前記調整部は、前記通信受信部によって受信された一定期間内の前記通信ストリームの前記時刻参照値の前記遅れ量の平均値に所定のマージンを付加した値で前記基準時刻を調整するものであってよい。【００１２】
前記放送ストリームおよび前記通信ストリームのうち前記放送ストリームにのみ所定の単位毎の提示時刻情報が付加され、前記受信装置は、前記放送受信部により受信された前記放送ストリームを、当該放送ストリームに付加された前記提示時刻情報と前記基準時刻とが一致したタイミンクで前記一方の映像が提示されるようにデコードする放送受信用の映像デコーダと、前記通信受信部により受信された前記通信ストリームをデコードする放送受信用の映像デコーダと、前記放送受信用の映像デコーダおよび前記通信受信用の映像デコーダによりそれぞれデコードされた複数の映像をマージする映像マージャと、をさらに具備するように構成されてもよい。【００１３】
この受信装置は、放送ストリームおよび通信ストリームのうち放送ストリームにのみ所定の単位毎の提示時刻情報が付加され、通信ストリームに提示時刻情報が付加されていない場合を想定している。このような想定において、調整部は、通信受信部によって受信された一定期間内の通信ストリームの時刻参照値の遅れ量の平均値に所定のマージンを付加した値で基準時刻を調整すればよい。すなわち、提示時刻情報をもたない通信ストリームは受信装置に受信されてはデコードされることを次々に繰り返して再生される。このため、局所的に得られた遅れ量ではなく、一定の時間幅において得られた遅れ量の平均値を基準時刻の調整に用いる方がよい。さらに、通信ストリームの放送ストリームに対する遅れは同期再生において致命的であることから、平均値にマージンを加えた値で基準時刻の調整を行うようにすることは有効である。【００１４】
本技術の別の側面に係る同期処理方法は、それぞれ時刻参照値が付加され、互いに同期して再生されるべき複数の映像のうち一方を放送ストリームとして放送を通じて受信し、前記複数の映像のうち他方を通信ストリームとしてネットワークを通じて受信し、基準時刻生成部が、前記放送ストリームに含まれる前記時刻参照値をもとに、前記複数の映像を提示するタイミングを生成するための基準時刻を生成し、調整部が、前記基準時刻に対する前記通信ストリームの前記時刻参照値の遅れ量で前記基準時刻を調整することを特徴とする。
【発明の効果】
【００１５】
以上のように、本技術によれば、互いに同期して再生されるべき２つの映像ストリームを放送とインターネットとに分けて伝送する場合のそれぞれの同期再生を良好に行うことができる。
【図面の簡単な説明】
【００１６】
【図１】放送ストリームと通信ストリームの同期伝送システムの構成を示す図である。
【図２】本技術に係る第１の実施形態の受信装置において、ＳＴＣの調整により放送ストリームと通信ストリームとを同期させる動作のタイムチャートである。
【図３】第１の実施形態の受信装置の構成を示すブロック図である。
【図４】放送の選局から放送ストリームと通信ストリームとの同期処理、さらには同期処理の終了までのタイムチャートである。
【発明を実施するための形態】
【００１７】
以下、本技術に係る実施の形態を説明する。
＜第１の実施形態＞
本実施形態は、放送により伝送される映像を含むストリーム（以下「放送ストリーム」と呼ぶ。）とインターネットにより伝送される映像を含むストリーム（以下「通信ストリーム」と呼ぶ。）を受信し、これらを互いに同期させて再生する受信装置とその同期処理方法に関するものである。
【００１８】
このような放送ストリームと通信ストリームの同期伝送システムの例として次のようなものが挙げられる。
１．３Ｄ番組
図１は３Ｄ番組伝送システムの構成を示す図である。
３Ｄ番組を構成する複数の視点の映像のうち１視点の映像が放送で伝送され、他の１視点の映像が通信で伝送される。受信機はこれら放送と通信で伝送される２つの映像を受信し、互いに同期をとって再生してマージし、３Ｄ映像を提示する。
【００１９】
２．マルチビュー番組
１つの被写体が複数のカメラで同時に撮影されることによって得られる一つのビューの映像がメインビューとして放送で伝送され、その他の１以上のビューの映像がサブビューとして通信で伝送される。受信機はこれら複数のビューの映像を受信し、メインビューの映像を親画面に表示させるとともに、１以上のサブビューの映像を子画面で表示させる。あるいは、受信機は、メイン画面に表示させる映像をメインビューとサブビューとの間で切り替える。
【００２０】
３．高解像度番組
例えば４Ｋの（画素数3840×2160）の高解像度カメラで撮影された映像が４分割されて得られる４系統のＨＤサイズ（画素数1920×1080）の映像のうち、一部が放送で伝送され、残りが通信で伝送される。受信機は各系統のＨＤサイズの映像を受信し、互いに同期をとって再生し、結合して４Ｋサイズの高解像度映像を提示する。あるいは、高解像度カメラで撮影された映像がウェーブレット変換などにより周波数分解され、低解像度成分のＨＤサイズの映像が放送で伝送され、残りの高周波成分の映像が通信で伝送される。受信機は、受信した４つのＨＤサイズの映像をウェーブレット逆変換などにより周波数合成して一つの高解像度映像として復元して提示する。
【００２１】
４．音声吹き替えサービス
音声吹き替えサービスでは、映像と日本語音声が放送で伝送され、映像に対する多言語の吹き替え版の音声が通信で伝送される。受信機は、映像と日本語音声を放送から受信する一方で、映像に対する多言語の吹き替え版の音声を通信から受信し、ユーザからの要求に応じて、放送の映像と吹き替え音声を互いに同期をとって再生して提示する。
【００２２】
図１は上記の放送ストリームと通信ストリームの同期伝送システムの構成を示す図である。
ここで、番組素材とは、３Ｄ番組、マルチビュー番組、高解像度番組、音声吹き替えサービス番組などである。放送・通信設備１００において、番組素材は放送用の信号と通信用の信号とに分けられる。放送用の信号と通信用の信号はそれぞれ、エンコーダによってＭＰＥＧ２＿ＴＳなどのストリームに符号化され、一方のストリームは放送で送出され、他方のストリームは配信サーバによってインターネットを通じて通信で配信される。符号化の際、ビデオのＴＳパケットに一定周期で時刻参照値であるＰＣＲ(Program Clock Reference)が挿入される。あるいは、ＰＣＲを含むＰＣＲパケットが一定周期で付加される。
【００２３】
典型的な受信装置２００では、一つの番組に関連する放送ストリームおよび通信ストリームを受信する。典型的な受信装置２００では、受信した放送ストリームおよび通信ストリームからそれぞれＰＣＲを抽出し、このＰＣＲを用いて受信装置２００の基準時刻であるＳＴＣ（System Time Clock）を設定あるいは校正し、このＳＴＣと映像のＴＳパケットに含まれる提示時刻情報であるＰＴＳ（Presentation Time Stamp）とから映像の提示のタイミングが生成される。
【００２４】
その際、ネットワークのトラフィック変動によって受信装置２００に通信ストリームが受信されるタイミングが、これと同期がとられて再生されるべき放送ストリームに対して遅れる可能性がある。通信ストリームが放送ストリームに対して遅れている場合には受信した放送ストリームをバッファに蓄えて放送ストリームの再生を遅らせる必要がある。しかし、典型的な受信装置２００では、ＰＣＲをもとに生成されるＳＴＣと、映像のＴＳパケットに含まれる再生時の時刻管理情報であるＰＴＳから映像ストリームの提示タイミングが一意に決められることが前提とされている。したがって、受信した放送ストリームをバッファに蓄えるだけでは、放送ストリームと通信ストリームとの同期再生を実現することは実際には困難である。
【００２５】
そこで本実施形態では、受信装置のＳＴＣが、受信した通信ストリームの最初の映像のＴＳパケットに挿入されたＰＣＲよりも大きい場合に、その差分だけＳＴＣの値を減算することによる調整を行う仕組みが採用されている。
【００２６】
図２は本技術に係る第１の実施形態の受信装置３００において、ＳＴＣの調整により放送ストリームと通信ストリームとを同期させる動作のタイムチャートである。
【００２７】
１．受信装置３００は、放送ストリームと通信ストリームの同期再生の指示が発生してから、受信した通信ストリームの最初の映像のＴＳパケットから取得したＰＣＲの値であるＰＣＲ０と受信装置３００のＳＴＣの現在の値であるＳＴＣ０とを比較し、ＳＴＣ０＞ＰＣＲ０の条件が成立するかどうかを判定する。
【００２８】
２．受信装置３００は、上記の条件が成立する場合、ＳＴＣ０とＰＣＲ０とのオフセットΔを次式により算出する。
ＳＴＣ０−ＰＣＲ０＝Δ      ・・・（１）
【００２９】
３．受信装置３００は、このオフセットΔでＳＴＣを次式により調整する。
ＳＴＣ−Δ＝ＳＴＣ´      ・・・（２）
【００３０】
４．受信装置３００は、放送ストリームおよび通信ストリームのそれぞれの映像のＴＳパケットに含まれるＰＴＳとＳＴＣ´を参照して、それぞれの映像の提示のタイミングを制御する。具体的には、放送ストリームおよび通信ストリームともに、映像のＴＳパケットに含まれるＰＴＳと、ＳＴＣ´とが一致したとき映像が提示されるように制御される。
【００３１】
以上の処理により、放送ストリームと通信ストリームとを同期して再生することができる。
【００３２】
［受信装置の構成］
図３は、本実施形態の受信装置３００の構成を示すブロック図である。
受信装置３００は、チューナ３０１（放送受信部）、放送受信用のＤｅＭＵＸ３０２、放送受信用の映像バッファ３０３、放送受信用の映像デコーダ３０４、ＳＴＣ生成部３０５（基準時刻生成部）、ネットワークＩ／Ｆ３０７（通信受信部）、ＨＴＭＬブラウザ３０８、ＶＯＤプレーヤ３０９、通信受信用のストリーミングバッファ３１０、通信受信用のＤｅＭＵＸ３１１、通信受信用の映像バッファ３１２、ＳＴＣ調整部３１３（調整部）、通信受信用の映像デコーダ３１４および映像マージャ３１５を備える。
【００３３】
チューナ３０１は、ユーザにより選択されたチャンネルの放送ストリームを受信し、トランスポートストリーム（ＴＳ：Transport Stream）を生成して放送受信用のＤｅＭＵＸ３０２に送出する。
【００３４】
放送受信用のＤｅＭＵＸ３０２は、トランスポートストリームのＤｅＭＵＸ処理を行い、映像のＴＳパケットを分離して映像ストリームとして放送受信用の映像バッファ３０３に供給するとともに、各ＴＳパケットからＰＣＲを抽出してＳＴＣ生成部３０５に供給する。
【００３５】
放送受信用の映像バッファ３０３は、放送受信用の映像デコーダ３０４に供給する映像ストリームをバッファリングする。
【００３６】
放送受信用の映像デコーダ３０４は、放送受信用の映像バッファ３０３から読み出された映像ストリームをデコードして放送系の映像信号として映像マージャ３１５に出力する。
【００３７】
ＳＴＣ生成部３０５は、放送ストリームから抽出されたＰＣＲを基準に２７メガヘルツのＳＴＣを生成し、放送受信用の映像デコーダ３０４および通信受信用の映像デコーダ３１４などに供給する。
【００３８】
ネットワークＩ／Ｆ３０７は、ＨＴＭＬ（HyperText Markup Language）ブラウザ３０８上で動作する放送連動型アプリケーションからＶＯＤ（Video On Demand）プレーヤ３０９への通信ストリームの取得指示が出されることによってＶＯＤプレーヤ３０９から与えられたリクエストをインターネットを通じて放送・通信設備１００の配信サーバに送信し、配信サーバからの応答として、放送ストリームと同期して再生されるべき通信ストリームを受信する。
【００３９】
通信受信用のストリーミングバッファ３１０は、受信した通信ストリームをバッファリングする。ここで、受信した通信ストリームである映像のＴＳパケットが、ＰＴＳを有するＴＴＳ（Timestamped TS）パケットである場合、通信受信用のストリーミングバッファ３１０は、保持された通信ストリームを、ＰＴＳを用いて、可及的に本来のレートのＴＳパケットとなるように連続的に取り出して通信受信用のＤｅＭＵＸ３１１に供給する。
【００４０】
通信受信用のＤｅＭＵＸ３１１は、ストリーミングバッファ３１０から取り出された通信ストリームから映像のＴＳパケットを分離して映像ストリームとして通信受信用の映像バッファ３１２に供給し、さらに受信した映像ストリームの先頭のＴＳパケットからＰＣＲを抽出してＳＴＣ調整部３１３に供給する。
【００４１】
通信受信用の映像バッファ３１２は、通信受信用の映像デコーダ３１４に供給する映像ストリームをバッファリングする。
【００４２】
通信受信用の映像デコーダ３１４は、通信受信用の映像バッファ３１２から読み出された映像ストリームをデコードして通信系の映像信号として映像マージャ３１５に出力する。
【００４３】
映像マージャ３１５は、放送系の映像信号と通信系の映像信号とをマージして提示用の映像信号を生成し、図示しないディスプレイに出力する。ここで、マージは、３Ｄ番組、マルチビュー番組、高解像度番組、音声吹き替えサービス番組など、番組素材の放送と通信への分離方法に対応した方法で行われる。
【００４４】
ＳＴＣ調整部３１３は、ＳＴＣ生成部３０５のＳＴＣと、通信受信用のＤｅＭＵＸ３１１より供給されたＰＣＲとを比較してＳＴＣの調整データ（オフセットΔ）を生成し、ＳＴＣ生成部３０５に出力する。
【００４５】
ＳＴＣ生成部３０５は、ＳＴＣ調整部３１３からの調整データ（オフセットΔ）を用いてＳＴＣを調整する。
【００４６】
ホストコントローラ３１６は、ＣＰＵ（Central Processing Unit）、ＲＯＭ（Read Only Memory）、ＲＡＭ（Random Access Memory）などで構成される。ＲＯＭにはＣＰＵに実行させるプログラムやデータが固定的に記憶される。ＲＡＭにはＲＯＭに格納されたプログラムがロードされ、ＣＰＵはそのロードされたプログラムを実行する。
ＲＡＭにロードされたプログラムは、ホストコントローラ３１６を、例えば、ＳＴＣ生成部３０５、ＨＴＭＬブラウザ３０８、ＶＯＤプレーヤ３０９、ＳＴＣ調整部３１３として動作させる。但し、ＳＴＣ生成部３０５およびＳＴＣ調整部３１３は必ずしもソフトウェアで提供されるとは限らず、ハードウェアで構成してもよい。ホストコントローラ３１６は、例えば、図示しないリモートコントローラを用いてユーザからの各種指示やデータの入力を受け付けることが可能である。
【００４７】
［放送ストリームと通信ストリームの同期処理］
次に、受信装置３００において、放送の選局から放送ストリームと通信ストリームとの同期再生までの動作を説明する。
【００４８】
まず、受信装置３００のユーザは、図示しないリモートコントローラなどを用いて放送チャンネルの選局を行う。リモートコントローラなどによって受け付けられたユーザからの選局情報はホストコントローラ３１６にて処理される。ホストコントローラ３１６は、ユーザからの選局情報に基づいてチューナ３０１を制御する。
【００４９】
チューナ３０１にて受信されたチャンネルの放送ストリームは放送受信用のＤｅＭＵＸ３０２に送出される。ＤｅＭＵＸ３０２は、放送ストリームから映像のＴＳパケット、音声のＴＳパケット、ＳＩ（Service Information：番組配列情報）などのその他のＴＳパケットを分離する。放送受信用のＤｅＭＵＸ３０２にて分離された映像のＴＳパケットは映像ストリームとして放送受信用の映像バッファ３０３に供給され、ここで一旦保持される。
【００５０】
また、放送受信用のＤｅＭＵＸ３０２は、定常的に、映像のＴＳパケットからＰＣＲを抽出してＳＴＣ生成部３０５に供給する。ＳＴＣ生成部３０５にて、このＰＣＲを基準に２７メガヘルツのＳＴＣ（System Time Clock）が生成される。
【００５１】
放送受信用の映像デコーダ３０４は、放送受信用の映像バッファ３０３から読み出された映像ストリームをデコードする。この際、放送受信用の映像デコーダ３０４は、映像のＴＳパケットがもつＰＴＳとＳＴＣ生成部３０５から与えられるＳＴＣとが一致したタイミンクで映像が提示されるように、当該映像ストリームのデコードのタイミングを制御する。
【００５２】
放送受信用の映像デコーダ３０４から出力された放送系の映像信号は映像マージャ３１５に出力される。
【００５３】
本動作の一例として、チャンセルが選局された後、このチャンネルもしくは番組に関連付けられたアプリケーション（放送連動型アプリケーション）を受信装置３００が放送または通信により取得し、実行する場合を想定する。この放送連動型アプリケーションは、放送ストリームと通信ストリームとの同期再生による、例えば、３Ｄ番組、マルチビュー番組、高解像度番組、音声吹き替えサービス番組などの視聴をユーザに促し、ユーザからの視聴の指示を受けると、ＶＯＤプレーヤ３０９に通信ストリームの取得指示を供給するように受信装置３００を機能させる。
【００５４】
なお、この放送連動型アプリケーションは、例えばＨＴＭＬ（Hyper Text Markup Language）文書、ＢＭＬ文書（Broadcast Markup Language）、ＭＨＥＧ文書（Multimedia and Hypermedia information coding）、Ｊａｖａ（登録商標）スクリプト、静止画ファイル、動画ファイルなどで構成される。
【００５５】
ＶＯＤプレーヤ３０９は、通信ストリームの取得指示を受けると、ネットワークＩ／Ｆ３０７を制御して、配信サーバにインターネットを通じて、選局中のチャンネルもしくは番組に関連付けられた通信ストリーム（放送ストリームと同期して再生されるべき通信ストリーム）の伝送をリクエストするとともに、ＳＴＣ調整部３１３にＳＴＣの調整指示を与える。ＳＴＣ調整部３１３は、ＳＴＣの調整指示を受けると、通信受信用のＤｅＭＵＸ３１１からのＰＣＲの供給の待機状態になる。
【００５６】
一方、リクエストに対して配信サーバから伝送された通信ストリームは、ネットワークＩ／Ｆ３０７を介して通信受信用のストリーミングバッファ３１０に蓄積される。ここで、通信受信用のストリーミングバッファ３１０は、通信ストリームの先頭の映像のＴＳパケットを保持後直ちに読み出して通信受信用のＤｅＭＵＸ３１１に供給する。
【００５７】
なお、通信受信用のストリーミングバッファ３１０にはバースト的に通信ストリームが蓄えられるが、配信サーバから伝送される映像のＴＳパケットが、ＰＴＳを有するＴＴＳパケットである場合、ストリーミングバッファ３１０は保持された通信ストリームを、ＰＴＳを用いて、可及的に本来のレートのＴＳパケットとなるように連続的に取り出して通信受信用のＤｅＭＵＸ３１１に供給する。
【００５８】
通信受信用のＤｅＭＵＸ３１１は、ストリーミングバッファ３１０より読み出された通信ストリームから映像のＴＳパケットを分離して通信受信用の映像バッファ３１２に供給するとともに、最初に取得した映像のＴＳパケットからＰＣＲを抽出してＳＴＣ調整部３１３に供給する。
【００５９】
ここで、最初に取得した映像のＴＳパケットから抽出されたＰＣＲの値をＰＣＲ０とする。ＳＴＣ調整部３１３は、ＰＣＲ０を取得すると、このＰＣＲ０と、ＳＴＣ生成部３０５より与えられたＳＴＣの値（ＳＴＣ０）とを比較し、ＳＴＣ０＞ＰＣＲ０の条件が成立するかどうかを判定する。ＳＴＣ０＞ＰＣＲ０が成立する場合とは、放送ストリームに対して、これに同期して再生されるべき通信ストリームが時間的に遅れて受信されていることを意味する。
【００６０】
ＳＴＣ調整部３１３は、ＳＴＣ０＞ＰＣＲ０の条件が成立した場合、次式によりＳＴＣ０とＰＣＲ０とのオフセットΔを算出する。
ＳＴＣ０−ＰＣＲ０＝Δ      ・・・（１）
このオフセットΔの値はＳＴＣ生成部３０５に供給される。
【００６１】
ＳＴＣ生成部３０５は、オフセットΔの値を受け取ると、ＳＴＣを次式により調整する。
ＳＴＣ−Δ＝ＳＴＣ´      ・・・（２）
【００６２】
以上のようにしてＳＴＣは、放送ストリームに対する通信ストリームの遅れ量だけずらしたＳＴＣ´に調整される。以降、放送受信用の映像デコーダ３０４および通信受信用の映像デコーダ３１４は、ＳＴＣ´をベースにそれぞれの映像ストリームの提示のタイミングを制御する。これにより、放送ストリームと通信ストリームとの同期再生が達成される。
【００６３】
映像マージャ３１５には、互いに同期した放送系の映像信号と通信系の映像信号が供給されることで、元の３Ｄ番組、マルチビュー番組、高解像度番組、音声吹き替えサービス番組などの番組が正しく復元される。
【００６４】
なお、ＳＴＣ０＞ＰＣＲ０の条件が成立した場合にはＳＴＣを調整することとしたが、逆にＳＴＣ０＜ＰＣＲ０またはＳＴＣ０＝ＰＣＲ０が成立した場合にはＳＴＣの調整は不要である。
【００６５】
また、ＳＴＣ´は、このＳＴＣ´でデコードが行われた放送番組の終了と同時にもとのＳＴＣに戻される。
【００６６】
図４は以上説明した放送の選局から放送ストリームと通信ストリームとの同期処理、さらには同期処理の終了までのタイムチャートである。
受信装置３００において、ＳＴＣがＳＴＣ´に更新されることによって映像ストリームのデコードの開始時刻がＴ１からＴ１´に後方へとずらされる。Ｔ１からＴ１´までの間、映像はフリーズ状態で表示される。そしてＴ１´の時刻から放送と通信それぞれの映像ストリームのデコードが同時に再開される。その後、番組が終了するまで、ＳＴＣ´を基準にデコードが行われる。番組が終了すると、ＳＴＣ´がＳＴＣに戻され、ＰＴＳがＳＴＣに一致するアクセスユニットにジャンプしてデコードが行われる。
【００６７】
＜第２の実施形態＞
上記の第１の実施形態では、通信ストリームの映像のＴＳパケットがＴＴＳパケットである場合を想定したが、通信ストリームの映像のＴＳパケットがＰＴＳをもたないＴＳパケットである場合も考えられる。
この場合、ストリーミングバッファ３１０から映像デコーダ３１４までの系では、ＳＴＣとは無関係に、通信ストリームの受信からデコードまでの動作を連続して繰り返す。このことから、最初に受信された映像のＴＳパケットから抽出されるＰＣＲ０とＳＴＣ０との差分をもとにＳＴＣを調整するだけでは、適正に放送ストリームと通信ストリームとを同期させることができない場合が想定される。
【００６８】
このような想定において、オフセットΔは、放送ストリームに対する通信ストリームの平均的な遅れ量として求めなければならない。
例えば、次式により、通信ストリームの受信開始から一定期間のＰＣＲに関してそれぞれ差分を算出し、各差分の平均値を求める。
【００６９】
【数１】
2013190787.tif 000003
【００７０】
Ａの値が正である場合、このＡにマージンｍを加えた値をオフセットΔとする。
ＳＴＣ生成部３０５は、このオフセットΔをＳＴＣから減算した結果を調整後のＳＴＣ´として放送受信用の映像デコーダ３０４などに供給する。そして送受信用の映像デコーダ３０４はＳＴＣ´をベースに映像ストリームの提示のタイミングを制御する。
【００７１】
もともと、ＰＴＳをもたないＴＳパケットは厳密な同期を必要としないメディアの伝送に用いられるため、放送ストリームに対する通信ストリームの平均的な遅れ量として求められるオフセットΔでＳＴＣを調整する程度でよい。
【００７２】
本技術は、上述の図示例にのみ限定されるものではなく、本発明の要旨を逸脱しない範囲内において種々変更を加え得ることは勿論である。
【００７３】
なお、本技術は以下のような構成も採ることができる。
（１）  それぞれ時刻参照値が付加され、互いに同期して再生されるべき複数の映像のうち一方を放送ストリームとして放送を通じて受信可能な放送受信部と、
前記複数の映像のうち他方を通信ストリームとしてネットワークを通じて受信可能な通信受信部と、
前記放送ストリームに含まれる前記時刻参照値をもとに、前記複数の映像を提示するタイミングを生成するための基準時刻を生成する基準時刻生成部と、
前記基準時刻に対する前記通信ストリームの前記時刻参照値の遅れ量で前記基準時刻を調整する調整部と
を具備する受信装置。
【００７４】
（２）前記（１）に記載の受信装置であって、
請求項１に記載の受信装置であって、
前記調整部は、前記通信受信部によって最初に受信された前記通信ストリームの前記時刻参照値の前記遅れ量で前記基準時刻を調整する
受信装置。
【００７５】
（３）前記（１）から（２）に記載のいずれかの受信装置であって、
前記放送ストリームおよび前記通信ストリームには所定の単位毎の提示時刻情報が付加され、
前記受信装置は、
前記放送受信部により受信された前記放送ストリームを、当該放送ストリームに付加された前記提示時刻情報と前記基準時刻とが一致したタイミンクで前記一方の映像が提示されるようにデコードする放送受信用の映像デコーダと、
前記通信受信部により受信された前記通信ストリームを、当該通信ストリームに付加された前記提示時刻情報と前記基準時刻とが一致したタイミンクで前記他方の映像が提示されるようにデコードする放送受信用の映像デコーダと、
前記放送受信用の映像デコーダおよび前記通信受信用の映像デコーダによりそれぞれデコードされた複数の映像をマージする映像マージャと
をさらに具備する受信装置。
【符号の説明】
【００７６】
１００…放送・通信設備
３００…受信装置
３０１…チューナ
３０２…放送受信用のＤｅＭＵＸ
３０３…放送受信用の映像バッファ
３０４…放送受信用の映像デコーダ
３０５…ＳＴＣ生成部
３０７…ネットワークＩ／Ｆ
３０８…ＨＴＭＬブラウザ
３０９…ＶＯＤプレーヤ
３１０…ストリーミングバッファ
３１１…通信受信用のＤｅＭＵＸ
３１２…通信受信用の映像バッファ
３１３…ＳＴＣ調整部
３１４…通信受信用の映像デコーダ
３１５…映像マージャ
３１６…ホストコントローラ
【図１】
2013190787.tif 000004
【図２】
2013190787.tif 000005
【図３】
2013190787.tif 000006
【図４】
2013190787.tif 000007
【国際調査報告】
2013190787.tif 000008
2013190787.tif 000009
2013190787.tif 000010
2013190787.tif 000011